(57)【要約】【課題】配線作業が容易で、電線を目立たないように配線できる配線パネル装置を提供する。【解決手段】配線パネル装置１は、建物の内部に設置されて壁、天井のような造営面を構成するパネル本体３を備え、パネル本体３の厚み方向における一表面には、所定の電気機能部２ａを備えた機能パネル２が着脱自在に取り付けられる。パネル本体３の一表面において機能パネル２で覆われる部位には、強電系配線用収納溝４及び小勢力配線用収納溝５がパネル本体３の長手辺に沿ってパネル本体３の一端側から他端側にかけて設けられている強電系配線用収納溝４には、電気機能部２ａに給電するための電源線を含む強電系配線が収納される。また小勢力配線用収納溝５には、電気機能部２ａへの制御信号を送信する制御信号線を含む小勢力配線が収納される。【選択図】図１
2010183682.tif 000002
【特許請求の範囲】
【請求項１】
建物の内部に設置されて壁、天井のような造営面を構成する矩形板状のパネル本体を備え、
パネル本体の厚み方向における一表面には、所定の電気機能部を備えた機能パネルが着脱自在に取り付けられ、
パネル本体の一表面において機能パネルで覆われる部位には、電気機能部に給電するための電源線を含む強電系配線が収納される強電系配線用収納溝と、電気機能部への制御信号を送信する制御信号線を含む小勢力配線が収納される小勢力配線用収納溝とが、それぞれ、パネル本体の一辺に沿ってパネル本体の一端側から他端側まで設けられ、
パネル本体において両収納溝が延びる方向の端部には、両収納溝が延びる方向と直交する方向の一端側から他端側まで、両収納溝に連通して、両収納溝の内部に収納される強電系配線及び小勢力配線を通すための配線収容部が設けられたことを特徴とする配線パネル装置。
【請求項２】
配線収容部内に、機能パネルの電気機能部を制御する制御装置が配置されることを特徴とする請求項１記載の配線パネル装置。
【請求項３】
制御装置には、強電系配線用収納溝に臨む位置に電源線を接続する第１の電線接続手段が設けられるとともに、小勢力配線用収納溝に臨む位置に小勢力配線を接続する第２の電線接続手段が設けられたことを特徴とする請求項２記載の配線パネル装置。
【請求項４】
制御装置及び配線収容部に、第１及び第２の電線接続手段をそれぞれ強電系配線用収納溝、小勢力配線用収納溝に臨ませた状態で、制御装置の配置位置を位置決めする位置決め手段が設けられたことを特徴とする請求項３記載の配線パネル装置。
【請求項５】
配線収容部は、並設された他の配線パネル装置の配線収容部に連通し、制御装置に接続される強電系配線および小勢力配線のうち少なくとも何れか一方が、配線収容部を通して、他の配線パネル装置の配線収容部に配置された制御装置に送り配線されることを特徴とする請求項２乃至４の何れか１つに記載の配線パネル装置。
【請求項６】
強電系配線用収納溝及び小勢力配線用収納溝のうち、少なくとも何れか一方の収納溝には、内部に収納された配線を保持する電線保持手段が設けられたことを特徴とする請求項１乃至５の何れか１つに記載の配線パネル装置。
【発明の詳細な説明】
【技術分野】
【０００１】
本願発明は、建物内に設置されて天井又は壁を構成する配線パネル装置に関するものである。
【背景技術】
【０００２】
従来、図１０（ａ）（ｂ）に示すように、壁１１０に配設された電気器具１００に、電力線や小勢力配線などの電線１２０を配線する場合、壁１１０の裏側に配線された電線１２０を、壁１１０に設けた通線孔１１１から表側に導出して電気器具１００に接続した後、この電気器具１００を壁１１０に適宜の取付手段を用いて取り付けていた。
【０００３】
また、図１１（ａ）（ｂ）に示すように、電気器具１０１への配線を壁１１０に露出配線する場合は、壁１１０の表面に、天井付近から電気器具１０１の取付位置にかけて配線ダクト１１２を配設し、この配線ダクト１１２の内部に電力線や小勢力配線などの電線１２０を通して、電気器具１０１に電線１２０を接続していた（例えば、特許文献１参照）。
【先行技術文献】
【特許文献】
【０００４】
【特許文献１】特開平１１−２３４８４８号公報
【発明の概要】
【発明が解決しようとする課題】
【０００５】
上述した前者の配線方法では、電線１２０を通すための通線孔１１１を壁１１０に開ける必要があり、孔開け作業の手間がかかるという問題があった。また壁１１０の裏側に先行配線された電線１２０を通線孔１１１から表側に引き出して、電気器具１００に接続した後、電線１２０の余長分を通線孔１１１の内側に押し込みながら、電気器具１００を壁１１０に取り付ける必要があるので、配線作業に手間がかかるという問題があった。
【０００６】
一方、後者の配線方法では、壁１１０の表側から配線作業が行えるので、前者の配線方法に比べて配線作業の手間が少なくて済むが、電線１２０を通すための配線ダクト１１２が壁１１０の表面に露出しているので、外観の見栄えが悪いという問題があった。
【０００７】
本発明は上記問題点に鑑みて為されたものであり、その目的とするところは、配線作業が容易で、電線を目立たないように配線できる配線パネル装置を提供することにある。
【課題を解決するための手段】
【０００８】
上記目的を達成するために、請求項１の発明は、建物の内部に設置されて壁、天井のような造営面を構成する矩形板状のパネル本体を備え、パネル本体の厚み方向における一表面には、所定の電気機能部を備えた機能パネルが着脱自在に取り付けられ、パネル本体の一表面において機能パネルで覆われる部位には、電気機能部に給電するための電源線を含む強電系配線が収納される強電系配線用収納溝と、電気機能部への制御信号を送信する制御信号線を含む小勢力配線が収納される小勢力配線用収納溝とが、それぞれ、パネル本体の一辺に沿ってパネル本体の一端側から他端側まで設けられ、パネル本体において両収納溝が延びる方向の端部には、両収納溝が延びる方向と直交する方向の一端側から他端側まで、両収納溝に連通して、両収納溝の内部に収納される強電系配線及び小勢力配線を通すための配線収容部が設けられたことを特徴とする。
【０００９】
請求項２の発明は、請求項１の発明において、配線収容部内に、機能パネルの電気機能部を制御する制御装置が配置されることを特徴とする。
【００１０】
請求項３の発明は、請求項２の発明において、制御装置には、強電系配線用収納溝に臨む位置に電源線を接続する第１の電線接続手段が設けられるとともに、小勢力配線用収納溝に臨む位置に小勢力配線を接続する第２の電線接続手段が設けられたことを特徴とする。
【００１１】
請求項４の発明は、請求項３の発明において、制御装置及び配線収容部に、第１及び第２の電線接続手段をそれぞれ強電系配線用収納溝、小勢力配線用収納溝に臨ませた状態で、制御装置の配置位置を位置決めする位置決め手段が設けられたことを特徴とする。
【００１２】
請求項５の発明は、請求項２乃至４の何れか１つの発明において、配線収容部は、並設された他の配線パネル装置の配線収容部に連通し、制御装置に接続される強電系配線および小勢力配線のうち少なくとも何れか一方が、配線収容部を通して、他の配線パネル装置の配線収容部に配置された制御装置に送り配線されることを特徴とする。
【００１３】
請求項６の発明は、請求項１乃至５の何れか１つの発明において、強電系配線用収納溝及び小勢力配線用収納溝のうち、少なくとも何れか一方の収納溝には、内部に収納された配線を保持する電線保持手段が設けられたことを特徴とする。
【発明の効果】
【００１４】
請求項１の発明によれば、壁、天井のような造営面を構成するパネル本体には、機能パネルが取着される一表面において、機能パネルで覆われる部位に強電系配線用収納溝と小勢力配線用収納溝とが設けられているので、機能パネルを外して強電系配線用収納溝及び小勢力配線用収納溝を露出させた状態で、機能パネルの電気機能部に配線を接続したり、配線の余長分を収納溝に収納する作業が行えるから、配線作業が容易に行え、またパネル本体に孔を開ける作業が要らないので、配線作業が簡略化できるという効果がある。しかも、強電系配線用収納溝及び小勢力配線用収納溝は機能パネルで覆われる部位に設けられているので、各収容溝内に収納された配線を機能パネルで隠すことができ、外観の見栄えが向上するという利点がある。さらに、強電系配線を収納する強電系配線用収納溝と、小勢力配線を収納する小勢力配線用収納溝とが別々に設けられているので、強電系配線と小勢力配線とを分離して配線することができ、絶縁性が向上するという効果がある。しかも、強電系配線用収納溝及び小勢力配線用収納溝は、パネル本体の一辺に沿って、パネル本体の一端側から他端側まで設けられているので、機能パネルにおいて電気機能部の位置を自由に設計できるという利点がある。そのうえ、強電系配線用収納溝及び小勢力配線用収納溝内にそれぞれ収納される強電系配線及び小勢力配線を配線収容部に収めることができるので、パネル本体の端部で強電系配線及び小勢力配線の余長分を纏まりよく収納することができる。
【００１５】
請求項２の発明によれば、配線収容部に制御装置が収容されるので、制御装置と電気機能部との間を接続する強電系配線および小勢力配線を、配線収容部から強電系配線用収納溝および小勢力配線用収納溝にそれぞれ通して収納することができる。
【００１６】
請求項３の発明によれば、強電系配線用収納溝及び小勢力配線用収納溝に第１、第２の電線接続手段を臨ませた状態で制御装置が配線収容部に収納されているので、強電系配線および小勢力配線を制御装置に接続する作業が容易に行えるという効果がある。
【００１７】
請求項４の発明によれば、位置決め手段によって制御装置の位置が決められるので、制御装置が動いて、制御装置に接続された強電系配線や小勢力配線に張力が加わるのを防止することができる。
【００１８】
請求項５の発明によれば、配線パネル装置の配線収容部は、並設された他の配線パネル装置の配線収容部に連通しているから、配線収容部内に収納された制御装置から、他の配線パネル装置の配線収容部に収納された制御装置に対して送り配線をすることができ、送り配線を行うことで全体の配線長を短くして、配線のコストを低減できるという効果がある。
【００１９】
請求項６の発明によれば、配線の位置が決まるので、配線長の設計や施工が正確に行えるという利点がある。
【図面の簡単な説明】
【００２０】
【図１】本実施形態の内装パネルの分解斜視図である。
【図２】同上の配線パネル装置の施工状態を示す正面図である。
【図３】同上の内装パネルの施工状態を示す正面図である。
【図４】同上の配線パネル装置を示し、（ａ）は要部の正面図、（ｂ）は上側から見た断面図、（ｃ）は要部の側面図である。
【図５】同上の配線パネル装置に、機能パネルを取り付ける前の状態を示す平面図である。
【図６】（ａ）〜（ｄ）は同上の組立工程の説明図である。
【図７】同上の全体構成図である。
【図８】同上の配線パネル装置に、異種の機能パネルを取り付ける前の状態を示す平面図である。
【図９】（ａ）〜（ｄ）は同上の組立工程の説明図である。
【図１０】従来の配線器具の取付状態を示し、（ａ）は外観斜視図、（ｂ）は断面図である。
【図１１】従来の別の配線器具の取付状態を示し、（ａ）は外観斜視図、（ｂ）は断面図である。
【発明を実施するための形態】
【００２１】
以下に、本発明に係る配線パネル装置を、建物の壁を構成する内装パネルに適用した一実施形態を図１〜図８に基づいて説明する。尚、以下の説明では特にことわりがないかぎり、図２に示す向きにおいて上下左右の方向を規定し、図２中の正面を前面という。
【００２２】
図１は内装パネルＰＮの分解斜視図であり、この内装パネルＰＮは、配線パネル装置１と機能パネル２とを主要な構成として備えている。
【００２３】
機能パネル２は、厚みが約１５ｍｍの矩形板状であって、室内側の面（前面）には所定の機能を有する電気機能部２ａが設けられ、電気機能部２ａに給電線や信号線を接続する接続端子（図示せず）が背面側に設けられている。なお電気機能部２ａとしては、シート状のヒータを用いた暖房器具や、平板状の導光板と導光板の一端側の入射面に配置されたＬＥＤとを用いた面発光源からなる照明器具や、平面上のスピーカを備えた音場形成部などがある。図示例では電気機能部２ａを前面の一部に設けているが、機能パネル２の前面の略全体に電気機能部２ａを設けてもよい。
【００２４】
配線パネル装置１は、建物の壁（躯体面）２０に固定されて、造営面（壁）を構成するパネル本体３を備える。パネル本体３は、不燃性及び絶縁性を有する合成樹脂材料の押し出し成型により形成され、縦長の矩形板状であって、厚み方向における一表面（室内側の面、前面）には、適宜の取付手段を用いて機能パネル２が着脱自在に取り付けられる。そして、パネル本体３の一表面において、機能パネル２で覆われる部位には１本の強電系配線用収納溝４と３本の小勢力配線用収納溝５とが、左右方向に並べて所定の間隔で設けられている。強電系配線用収納溝４と小勢力配線用収納溝５とは、パネル本体３の一辺（長辺）に沿ってパネル本体３の一端側から他端側にかけて、すなわち施工状態における上端側から下端側にかけて設けられており、強電系配線用収納溝４には、電気機能部２ａに給電するための電源線を含む強電系配線が収納され、小勢力配線用収納溝５には、電気機能部２ａへの制御信号を送信する制御信号線を含む小勢力配線が収納される。尚、本実施形態では強電系配線用収納溝４が左端に設けられ、３本の小勢力配線用収納溝５がその右側に並べて設けられている。またパネル本体３の前面には、両収納溝４，５を間にして左右両側に、両収納溝４，５に比べて深さが浅い補強用の溝３ａが複数形成されており、複数の溝３ａを設けることで、パネル本体３の強度を高めている。
【００２５】
またパネル本体３において、強電系配線用収納溝４及び小勢力配線用収納溝５が延びる方向の端部（本実施形態では上端部及び下端部の両端部）には、両収納溝４，５が延びる方向と直交する方向（つまりパネル本体３の短辺方向）の一端側から他端側まで配線収容部６，６が設けられている。各配線収容部６は、細長い矩形板状の板金の上下両側部を前方に折り曲げ加工することで、前面および左右両側面が開口した略箱形に形成されており、パネル本体３の端面に一体的に連結されている。そして、各配線収容部６には、パネル本体３の強電系配線用収納溝４及び小勢力配線用収納溝５に対応する部位に切欠７が形成され、配線収容部６の内部と強電系配線用収納溝４及び小勢力配線用収納溝５とが切欠７を通して連通しており、両収納溝４，５の内部に収納される強電系配線及び小勢力配線が配線収容部６内に通されるようになっている。すなわち、強電系配線用収納溝４及び小勢力配線用収納溝５内にそれぞれ収納される強電系配線及び小勢力配線を配線収容部６に収めることができるので、パネル本体３の端部で強電系配線及び小勢力配線の余長分を纏まりよく収納することができる。
【００２６】
各配線収容部６の底壁には、左右両側部に長孔状の取付孔８が設けられており、配線収容部６，６が一体的に固定されたパネル本体３を躯体面２０の所定位置に取り付け、躯体面２０に埋め込まれたアンカーボルト（図示せず）を配線収容部６の取付孔８に通し、取付孔８から露出するアンカーボルトにナット（図示せず）を螺着することで、配線パネル装置１が躯体面２０に取り付けられるようになっている。なおパネル本体３の上側に取り付けられた配線収容部６には、前面側の開口を覆う矩形板状の廻り縁カバー１０ａが、パネル本体３の下側に取り付けられた配線収容部６には、前面側の開口を覆う矩形板状の巾木カバー１０ｂが、それぞれ着脱自在に取り付けられており、これらのカバー１０ａ，１０ｂによって配線収容部６の内部に収容された配線を隠して、外観の見栄えを良くしている。
【００２７】
また上側の配線収容部６には、図１及び図５に示すように、内装パネルＰＮの外側から電源線Ｌ１や制御信号線Ｌ２を内部に導入するための通線孔９ａ，９ｂが左右両側に設けられており、通線孔９ａを通して配線収容部６内に導入された電源線Ｌ１が強電系配線用収納溝４内に収納され、通線孔９ｂを通して配線収容部６内に導入された制御信号線Ｌ２が小勢力配線用収納溝５内に収納されるようになっている。ここで、電源線Ｌ１を導入するための通線孔９ａは配線収容部６の左側、制御信号線Ｌ２を導入するための通線孔９ｂは配線収容部６の右側に開口しており、通線孔９ａから導入された電源線Ｌ１は、左側にある強電系配線用収納溝４内に収納され、通線孔９ｂから導入された制御信号線Ｌ２は、強電系配線用収納溝４に対して右側にある小勢力配線用収納溝５内に収納されるから、配線収容部６の内部でも電源線Ｌ１と制御信号線Ｌ２を分離して収納することができ、絶縁性を確保することができる。
【００２８】
また下側の配線収容部６には、図５に示すように、機能パネル２の電気機能部２ａを制御する制御装置１１が収納されている。
【００２９】
制御装置１１には、強電系配線用収納溝４に臨む位置に第１の電線接続手段として、電源線Ｌ１が接続される電源入力端子１２ａと、電気機能部２ａに給電するための電源線Ｌ３が接続される電源出力端子１２ｂとが設けられる。ここで、電源入力端子１２ａおよび電源出力端子１２ｂはそれぞれ従来周知の速結端子により構成される。また制御装置１１には、小勢力配線用収納溝５に臨む位置に、第２の電線接続手段として、図示しないコントローラからの制御信号線Ｌ２が接続される制御線接続部１３ａと、電気機能部２ａからの制御信号線Ｌ４が接続される制御線接続部１３ｂとが設けられている。なお、制御線接続部１３ａ，１３ｂは、例えば制御信号線Ｌ２，Ｌ４の端部に設けたプラグが着脱自在に接続されるソケットにより構成される。
【００３０】
このように、制御装置１１は配線収容部６内に配置されるので、制御装置１１と電気機能部２ａとの間を接続する強電系配線および小勢力配線を、配線収容部６から強電系配線用収納溝４および小勢力配線用収納溝５にそれぞれ通して収納することができる。そして、制御装置１１には、強電系配線用収納溝４及び小勢力配線用収納溝５に臨む位置に第１、第２の電線接続手段が設けられているので、両収納溝４，５に第１、第２の電線接続手段を臨ませた状態で制御装置１１が配線収容部６に収納されるから、強電系配線および小勢力配線を制御装置１１に接続する作業が容易に行える。
【００３１】
制御装置１１では、電源線Ｌ１から電源入力端子１２ａに入力された電源を、左右両側部に設けた送り配線端子１４，１４に供給するとともに、電源部１５で電気機能部２ａに対応した電圧に変換して電源出力端子１２ｂに出力する。また制御装置１１では、制御部１６が、制御線接続部１３ａに接続された制御信号線Ｌ２を介して外部のコントローラと通信を行うことで制御信号を受信し、受信した制御信号に基づいて電気機能部２ａに制御信号を出力して、電気機能部２ａの動作を制御する。また制御部１６には電源部１５から動作電源が供給されるようになっている。尚、本実施形態では制御装置１１を電気機能部２ａと別に設けているが、電気機能部２ａに制御装置１１の機能を内蔵させてもよく、この場合は電気機能部２ａに、電源線Ｌ１及び制御信号線Ｌ２を直接接続すればよい。
【００３２】
ここで、図６（ａ）〜（ｄ）を参照して内装パネルＰＮの組立手順を説明する。先ず、図６（ａ）に示すようにパネル本体３に配線収容部６，６が一体的に連結された配線パネル装置１を躯体面に固定した状態で、下側の配線収容部６に制御装置１１を取り付け、通線孔９ａ，９ｂを通して上側の配線収容部６に導入した電力線および情報配線（図示せず）を強電系配線用収納溝４および小勢力配線用収納溝５内に収容して制御装置１１に接続する。次に機能パネル２からの電源線および制御信号線（図示せず）を制御装置１１に接続し、これら電源線および制御信号線をそれぞれ強電系配線用収納溝４および小勢力配線用収納溝５内に収容した状態で、機能パネル２をパネル本体３の前面側に取り付け（図６（ｂ）参照）、上下両側の配線収容部６，６に廻り縁カバー１０ａおよび巾木カバー１０ｂをそれぞれ取り付けることで（図６（ｃ）参照）、内装パネルＰＮの組立が完了する（図６（ｄ）参照）。
【００３３】
而して、壁、天井のような造営面を構成するパネル本体３には、機能パネル２が取着される一表面において、機能パネル２で覆われる部位に強電系配線用収納溝４と小勢力配線用収納溝５とが設けられているので、機能パネル２を外して両収納溝４，５を露出させた状態で、両収納溝４，５内に配線を収納したり、電気機能部２ａに配線を接続したり、配線の余長分を収納溝に収納する作業が行えるから、配線作業が容易に行え、またパネル本体３に孔を開ける作業が要らないので、配線作業が簡略化できる。しかも、強電系配線用収納溝４及び小勢力配線用収納溝５は機能パネル２で覆われる部位に設けられているので、各収容溝４，５内に収納された配線を機能パネル２で隠すことができ、外観の見栄えが向上する。さらに、強電系配線を収納する強電系配線用収納溝４と、小勢力配線を収納する小勢力配線用収納溝５とが別々に設けられているので、強電系配線と小勢力配線とを分離して配線することができ、絶縁性が向上するという効果もある。また躯体面２０に取り付けられた配線パネル装置１に対して機能パネル２を容易に着脱できるから、所望の電気機能部２ａを有する機能パネル２を、配線パネル装置１に取り付けることで所望の機能を得ることができ、また機能パネル２の交換や電気的な点検作業にも容易に対応できるという利点もある。また、パネル本体３は矩形板状に形成され、強電系配線用収納溝４および小勢力配線用収納溝５は、それぞれ、パネル本体３の一辺に沿ってパネル本体３の一端側から他端側まで設けられているので、機能パネル２において電気機能部２ａの位置を自由に設計できるという利点がある。
【００３４】
なお図４（ｃ）に示すように、配線収容部６の上片及び下片の内面に、左右方向に延びる突条６ａを突設するとともに、制御装置１１の上下両側面に突条６ａが嵌合する凹溝１１ａを設けてもよい。この場合、突条６ａが凹溝１１ａに嵌合することによって、制御装置１１の配置位置が位置決めされるので、第１及び第２の電線接続手段をそれぞれ強電系配線用収納溝４、小勢力配線用収納溝５に臨ませた状態で、制御装置１１の配置位置を位置決めすることができるから、制御装置１１が動いて、制御装置１１に接続された強電系配線や小勢力配線に張力が加わるのを防止することができる。ここにおいて、突条６ａおよび凹溝１１ａから制御装置１１を位置決めする位置決め手段が構成される。
【００３５】
また強電系配線用収納溝４及び小勢力配線用収納溝５の少なくとも何れか一方、或いはその両方に、内部に収納される配線に引掛係止する弾性係止片（図示せず）を設けることも好ましく、収納溝内の配線に電線保持手段としての弾性係止片が引っ掛け係止することで、配線の位置が決まるので、配線長の設計や施工が正確に行えるという利点がある。
【００３６】
次に、図２、図３及び図７を参照して複数枚（例えば３枚）の内装パネルＰＮ１，ＰＮ２，ＰＮ３を連設して使用する形態について説明を行う。図７はこの場合のシステム構成を示し、建物内に別置きされた住宅分電盤３０および管理装置３１からそれぞれ電源線Ｌ１および制御信号線Ｌ２が部屋Ｒ内に設置された３枚の内装パネルＰＮ１〜ＰＮ３に接続され、住宅分電盤３０から各内装パネルＰＮ１〜ＰＮ３の制御装置１１に対して電源が供給されるとともに、管理装置３１と各内装パネルＰＮ１〜ＰＮ３の制御装置１１との間で制御信号線Ｌ２を介して通信を行うことによって、各制御装置１１が、管理装置３１からの制御信号を受け取り、受信した制御信号に基づいて対応する電気機能部２ａの動作を制御している。各制御装置１１は、管理装置３１からの制御信号に応じて対応する電気機器部２ａの動作を制御しているので、管理装置３１により複数の電気機能部２ａを連系して動作させることができ、例えば各内装パネルＰＮ１〜ＰＮ３の電気機器部２ａとして照明機能を有するものと、暖房機能を有するものと、音場形成機能を有するものとを使用する場合には、例えば就寝時に照明を暗めにし、温度を一定に制御するとともに、心地よい音楽を鳴動させることで、快適な就寝環境を実現することができる。
【００３７】
図２及び図３は３枚の内装パネルＰＮ１〜ＰＮ３が連設された状態を示しており、各々の内装パネルＰＮ１〜ＰＮ３の配線パネル装置１には、下側の配線収容部６に制御装置１１が収納されている。そして、左端に位置する配線パネル装置１には、躯体面２０に設けた壁裏配線取り出し孔２１と通線孔９ａとを介して上側の配線収容部６内に電源線Ｌ１が導入され、この電源線Ｌ１が強電系配線用収納溝４に挿入されて、下側の配線収容部６内に配置された制御装置１１に接続される。また各配線パネル装置１の制御装置１１の間は、下側の配線収容部６内に配線された送り配線Ｌ５，Ｌ５を介して電源が送り配線されている。一方、右端に位置する配線パネル装置１には、躯体面２０に設けた壁裏配線取り出し孔２２と通線孔９ｂとを介して上側の配線収容部６に小勢力配線Ｌ２が導入される。右側２つの配線パネル装置１には、上側の配線収容部６に分岐器１８が配置されており、分岐器１８で分岐された分岐配線Ｌ６は右端の配線パネル装置１の小勢力配線用収納溝５を通して、下側の配線収容部６に収容された制御装置１１に接続されている。また分岐器１８で分岐された分岐配線Ｌ７は連設された他の配線パネル装置１の配線収容部６に送られ、再び分岐器１８で分岐されたのち、分岐配線Ｌ８，Ｌ８がそれぞれ小勢力配線用収納溝５を通して下側の配線収容部６に収容された制御装置１１に接続されている。そして、各配線パネル装置１の制御装置１１と機能パネル２の電気機能部２ａとの間は電源線および制御信号線を介してそれぞれ接続されており、制御装置１１から電気機能部２ａに電源が供給されるとともに、制御装置１１が電気機能部２ａの動作を制御するようになっている。
【００３８】
このように複数枚の内装パネルＰＮ１〜ＰＮ３が連設されると、各配線パネル装置１の上下両側の配線収容部６が互いに連通するので、配線収容部６を通して強電系配線、小勢力配線をそれぞれ送り配線することができ、送り配線を行うことで全体の配線長を短くして、配線のコストを低減できる。また本実施形態では上側の配線収容部６を通して小勢力配線を送り配線するとともに、下側の配線収容部６を通して強電系配線を送り配線しており、強電系配線および小勢力配線を送り配線する経路を上下に分けているので、絶縁性を向上させることができる。尚、上述の実施形態とは逆に、上側の配線収容部６を通して強電系配線を送り配線し、下側の配線収容部６を通して小勢力配線を送り配線してもよい。
【００３９】
ところで、上述の形態では１枚の配線パネル装置１に１つの機能パネル２が取り付けられているが、図８及び図９に示すように１枚の配線パネル装置１に複数枚（例えば２枚）の機能パネル２を取り付けるとともに、配線パネル装置１の配線収容部６内に各々の機能パネルを制御する制御装置１１を収容することもでき、異なる機能を有する複数の機能パネル２を配線パネル装置１に取り付けて使用することができる。
【００４０】
尚、上記の実施形態では配線パネル装置を、壁を構成する内装パネルに適用した形態について説明を行ったが、本発明に係る配線パネル装置を、部屋の天井を構成する内装パネルに適用してもよいことは言うまでもない。
【符号の説明】
【００４１】
１  配線パネル装置
２  機能パネル
２ａ  電気機能部
３  パネル本体
４  強電系配線用収納溝
５  小勢力配線用収納溝
６  配線収容部
１０ａ  廻り縁カバー
１０ｂ  巾木カバー
１１  制御装置
ＰＮ  内装パネル
Ｌ１  強電系配線
Ｌ２  小勢力配線
【図１】
2010183682.tif 000003
【図２】
2010183682.tif 000004
【図３】
2010183682.tif 000005
【図４】
2010183682.tif 000006
【図５】
2010183682.tif 000007
【図６】
2010183682.tif 000008
【図７】
2010183682.tif 000009
【図８】
2010183682.tif 000010
【図９】
2010183682.tif 000011
【図１０】
2010183682.tif 000012
【図１１】
2010183682.tif 000013